(57)【要約】【課題】軽量でデザイン性に富み、レイアウト変更時の移動や収納が簡単となり、室内の装飾性向上に寄与することができるパーティションを提供する。【解決手段】上棧と下棧が平面的に同一方向へ円弧状に湾曲し、自立が可能となる矩形状枠体２に、伸縮性のある間仕切り袋３を、矩形状枠体２に対して緊張させた状態で被せて取付け、この間仕切り袋３の途中の上下方向が、両側への直線状態の緊張力と、上下方向への円弧状の緊張力の作用によって、上棧と下棧の湾曲に対する膨出方向と反対側へ弧を描いて凹入する湾曲形状になっている。【選択図】図１
2006316499.tif 000002
【特許請求の範囲】
【請求項１】
両側縦棧と上棧及び下棧によって形成され、上棧と下棧が平面的に同一方向へ円弧状に湾曲し、自立が可能となる矩形状枠体と、伸縮性のあるシート材を用い、前記矩形状枠体に対して緊張させた状態で被せることができるように形成された間仕切り袋からなり、前記間仕切り袋を矩形状枠体に被せて緊張させた状態で取付けたパーティション。
【請求項２】
上記矩形状枠体に被せて四方に緊張させた状態で取付けた間仕切り袋の途中の上下方向が、両側への直線状態の緊張力と、上下方向への円弧状の緊張力の作用によって、上棧と下棧の湾曲に対する膨出方向と反対側へ弧を描いて凹入する湾曲形状になっている請求項１に記載のパーティション。
【請求項３】
上記間仕切り袋を形成するシート材に伸縮性のある一枚の布材を用い、この布材を二つ折りにして両側縁を縫着することにより間仕切り袋が形成され、この間仕切り袋の開口部を係止具によって閉じることができるようにした請求項１又は２に記載のパーティション。
【請求項４】
上記係止具がファスナー又は一対の面ファスナーの何れかである請求項３に記載のパーティション。
【請求項５】
上記矩形状枠体は、両側縦棧の外面に縦溝が設けられ、この矩形状枠体に被せて取付けた間仕切り袋の両側縫着処理縁が前記縦溝に収まるようになっている請求項３又は４に記載のパーティション。
【請求項６】
上記矩形状枠体における下棧の下面で複数箇所の位置に、パーティションの自立状態を保持するための接地部材が上下位置調整可能となるように取付けられている請求項１乃至５の何れかに記載のパーティション。
【請求項７】
請求項１乃至６の何れかに記載のパーティションにおいて、複数のパーティションの幅方向の端部を、矩形状枠体の縦棧の上下端部の位置に取付けるジョイント部材を用いて角度可変に連結するようにしたパーティション。
【発明の詳細な説明】
【技術分野】
【０００１】
この発明は、床面に設置することにより簡易的に室内空間を複数に区切るためのパーティションに関する。
【背景技術】
【０００２】
室内空間を複数のスペースに区切って有効に活用するため、室内空間を間仕切りで区切って複数の独立した部屋とする方法や、床面に衝立のようなパーティションを設置して空間を簡易的に区切る方法がある。
【発明の開示】
【発明が解決しようとする課題】
【０００３】
ところで、前者の間仕切りで区切って複数の独立した部屋とする方法は、室内に組み付ける必要があるため、レイアウトの変更に対応するのが困難であると共に、設備コストも高くつき、簡易的な室内空間の仕切りには不向きである。
【０００４】
従来、室内空間を簡易的に区切るためのパーティションは、例えば、所定の大きさを有して自立が可能となる矩形状枠体にすりガラスやプレートを張設した衝立に形成され、この衝立を床面に立てることによって、室内空間を区切るようになっている。
【０００５】
しかし、上記のような衝立は、全体の重量が重くレイアウト変更時の移動や収納に不便であるだけでなく、デザイン的にも変化に乏しく、室内の装飾性向上に関与しないものである。
【０００６】
そこで、この発明の課題は、軽量でデザイン性に富み、レイアウト変更時の移動や収納が簡単となり、室内の装飾性向上に寄与することができるパーティションを提供することにある。
【課題を解決するための手段】
【０００７】
上記のような課題を解決するため、この発明は、両側縦棧と上棧及び下棧によって形成され、上棧と下棧が平面的に同一方向へ円弧状に湾曲し、自立が可能となる矩形状枠体と、伸縮性のあるシート材を用い、前記矩形状枠体に対して緊張させた状態で被せることができるように形成された間仕切り袋からなり、前記間仕切り袋を矩形状枠体に被せて緊張させた状態で取付けた構成を採用したものである。
【０００８】
また、矩形状枠体に被せて四方に緊張させた状態で取付けた間仕切り袋の途中の上下方向が、両側への直線状態の緊張力と、上下方向への円弧状の緊張力の作用によって、上棧と下棧の湾曲に対する膨出方向と反対側へ弧を描いて凹入する湾曲形状になっている構造とすることができる。
【０００９】
更に、上記間仕切り袋を形成するシート材に伸縮性のある一枚の布材を用い、この布材を二つ折りにして両側縁を縫着することにより間仕切り袋が形成され、この間仕切り袋の開口部を係止具によって閉じることができるようにすることができる。
【００１０】
上記係止具がファスナー又は一対の面ファスナーの何れかであるようにしたり、上記矩形状枠体は、両側縦棧の外面に縦溝が設けられ、この矩形状枠体に被せて取付けた間仕切り袋の両側縫着処理縁が前記縦溝に収まるようになっているようにすることができる。
【００１１】
更にまた、上記矩形状枠体における下棧の下面で複数箇所の位置に、パーティションの自立状態を保持するための接地部材が上下位置調整可能となるように取付けられているようにしたり、複数のパーティションの幅方向の端部を、矩形状枠体の縦棧の上下端部の位置に取付けるジョイント部材を用いて角度可変に連結するようにすることができる。
【００１２】
ここで、上記矩形状枠体の両側縦棧と上棧及び下棧は、アルミ型材を用いて形成され、四隅をビスで締結することによって矩形の枠体に組み立てられ、両側縦棧の上下端部は端部キャップによって閉鎖され、ジョイント部材によるパーティションの連結は、この端部キャップを利用し、ジョイント部材を端部キャップと結合することにより行えるようになっている。
【００１３】
上記間仕切り袋は、伸縮可能となるストレッチ布地を用い、収縮する自然状態で矩形状枠体よりも小さな扁平な角形の袋に縫製し、これを矩形状枠体に被せることにより、四方に緊張した状態で矩形状枠体に張設されることになる。
【発明の効果】
【００１４】
この発明によると、矩形状枠体に間仕切り袋を被せて緊張させた状態で取付けたので、全体を極めて軽量化でき、簡易的な室内空間の仕切りに最適なものとなり、レイアウト変更時の移動や収納が手軽に行える。
【００１５】
また、矩形状枠体に被せた間仕切り袋の途中の上下方向が、両側への直線状態の緊張力と、上下方向への円弧状の緊張力の作用によって、上棧と下棧の湾曲に対する膨出方向と反対側へ弧を描いて凹入する湾曲形状になるので、間仕切り袋によって見た目に特異で優美な曲線形状を創出することができ、デザイン的にも変化があり、設置するだけで室内の装飾性向上に大きく貢献することができる。
【００１６】
更に、複数のパーティションを連結することにより、必要な長さのものが簡単に得られると共に、連結時の湾曲形状の組み合わせを選択することにより、デザイン的に変化のある仕切りが行えることになる。
【発明を実施するための最良の形態】
【００１７】
以下、この発明の実施の形態を図示例と共に説明する。
【００１８】
図示のように、パーティション１は、室内の仕切りに適した大きさを有して自立可能となる矩形状枠体２と、この矩形状枠体２に緊張状態で被せて取付ける間仕切り袋３によって形成されている。
【００１９】
上記矩形状枠体２は、アルミ型材を用いた両側縦棧４、４と上棧５及び下棧６によって形成され、図３乃至図５に例示するように、縦棧４の端部と上棧５及び下棧６の端部は、縦棧４の外部から挿入したビス７を上棧５及び下棧６のねじ込み溝８に螺入することによって結合され、矩形状枠体２が組み立てられている。
【００２０】
上記矩形状枠体２において、上棧５と下棧６は、平面的に同一方向へ円弧状に湾曲し、下棧６の下面には、両端部と中間部の位置に、ねじ孔９を有するブロック１０がビス１１で固定され、このねじ孔９に、パーティション１の自立状態を保持するための接地部材１２の螺軸１３が上下位置調整可能となるようにねじ込まれている。
【００２１】
上記両側縦棧４、４は、図３と図５のように、筒型の断面形状を有し、その上端部に上部キャップ１４と下端部に下部キャップ１５が嵌め込み固定され、この縦棧４と上部キャップ１４及び下部キャップ１５の外面側には、上下長さ方向の全長にわたって縦溝１６、１６ａ、１６ｂが形成されている。
【００２２】
上記間仕切り袋３は、伸縮可能となる各種シート、例えば、ストレッチ布地を用い、一枚の布地を二つ折りにして両側縁を縫着することにより、収縮する自然状態で矩形状枠体２よりも小さな扁平で下縁が開口部となる角形の袋に縫製され、これを矩形状枠体２に被せて取付けることにより、四方に緊張した状態で矩形状枠体２に張設されることになる。
【００２３】
この間仕切り袋３の下端開口部は、図６のように、ファスナー又は一対の面ファスナーのような係止具１７によって閉じることができる開閉自在になっていると共に、この間仕切り袋３を矩形状枠体２に被せて取付けた状態で、図８のように、両側縫着処理縁３ａが両側縦棧４、４と上部キャップ１４及び下部キャップ１５の外面に設けた縦溝１６、１６ａ、１６ｂに納まり、間仕切り袋３の両側縦棧４、４に沿う部分が縦棧４の外部に突出状とならないようにしている。
【００２４】
パーティション１は、それ単体でも使用できるが、複数台のパーティション１を連結することにより、必要な長さのものが簡単に得られると共に、連結時の湾曲形状の組み合わせを選択することができる。
【００２５】
パーティション１を連結するために、上下一対のジョイント部材１８、１９、２０が用意され、パーティション１の連結は、両側縦棧４、４の上部キャップ１４と下部キャップ１５を利用し、何れかのジョイント部材１８、１９、２０を用い、各パーティション１の上部キャップ１４相互及び下部キャップ１５相互を結合することにより行えるようになっている。
【００２６】
図９（ａ）と（ｂ）は、二台のパーティション１を連結するジョイント部材１８を示し、下部ジョイント部材１８ａは、プレート２１の上面の一端側に突軸２２を立設し、他端側にビス孔２３を設けて形成され、上部ジョイント部材１８ｂは、プレート２４の両端部にビス孔２５を設けて形成されている。
【００２７】
図３のように、下部ジョイント部材１８ａは、互に接続せんとする一方パーティション１の下部キャップ１５に設けた凹孔２６に突軸２２を挿入し、他方パーティションの下部キャップ１５に設けたビス孔２３からビス２７をねじ込んで結合する。
【００２８】
また、上部ジョイント部材１８ｂは、上部キャップ部材１４上に間仕切り袋３を介して重ね、ビス孔２５から上部キャップ部材１４の下孔にビス２８をねじ込むことによって結合し、このようにして結合した二台のパーティション１は、結合部分を支点にして互に角度可変となる。
【００２９】
なお、間仕切り袋３の上部でビス２８が貫通する部分は、図７のように鳩目２９によって補強が施してある。
【００３０】
この二台用のジョイント部材１８を用いれば、図１２に示すように、パーティション１を必要台数だけ延長態で結合することができ、パーティション１の曲線方向の組み合わせも自由に選択することができる。
【００３１】
図１０と図１１は、三台又は四台のパーティション１を集合状態で結合するために用いるジョイト部材１９、２０の例を示し、基本的には上述した二台連結用のジョイント部材１８と同様であり、三台連結用のジョイント部材１９の下部ジョイント部材１９ａは、三角プレート３０に二本の突軸２２と一つのビス孔２３が等間隔の配置で設けて形成され、上部ジョイント部材１９ｂは、三角プレート３１に三つのビス孔２５が等間隔の配置で設けられた構造になっている。
【００３２】
また、四台連結用のジョイント部材２０の下部ジョイント部材２０ａは、四角プレート３２に三本の突軸２２と一つのビス孔２３が等間隔の配置で設けて形成され、上部ジョイント部材２０ｂは、四角プレート３３に四つのビス孔２５が等間隔の配置で設けられた構造になっている。
【００３３】
これらの三台又は四台用のジョイント部材１９、２０を用いれば、図１３に例示するように、三台又は四台（図示せず）のパーティション１を集合状態で結合することができる。
【００３４】
この発明のパーティションは、上記のような構成であり、矩形状枠体２に対して間仕切り袋３を緊張させながら上から被せ、間仕切り袋３の下端開口部を係止具１７によって下棧６の下部で閉じれば、間仕切り袋３は両面が緊張状態で矩形状枠体２に張設された取付けとなり、これによってパーティション１が完成し、このパーティション１を床面に起立状態で設置することにより、室内空間を複数に仕切ることができる。
【００３５】
図１のように、上記矩形状枠体２は、上棧５と下棧６が平面的に同一方向へ円弧状に湾曲しているので、間仕切り袋３の上部と下部はこの円弧状湾曲に沿うことになり、図２のように、パーティション１は、矩形状枠体２に被せた間仕切り袋３の途中の上下方向が、両側への直線状態の緊張力と、上下方向への円弧状の緊張力の作用によって、上棧５と下棧６の湾曲に対する膨出方向と反対側へ弧を描いて凹入する湾曲形状になり、間仕切り袋３は前記湾曲形状によって見た目に特異で優美な曲線形状を創出することができ、パーティション１は、デザイン的にも変化があり、設置するだけで室内の装飾性向上に大きく貢献することができる。
【００３６】
また、パーティション１は、レイアウトに合わせて複数のパーティション１を連結して配置することにより、図１２（ｂ）のような個人用の仕切りや、図１２（ａ）のような必要な長さのものが簡単に得られると共に、連結時の湾曲形状の組み合わせを選択することにより、デザイン的に変化のある仕切りが行えることになる。
【００３７】
上記パーティション１は、矩形状枠体２に布製の間仕切り袋３を取付けた構造であるので、全体が極めて軽量で簡易的な室内空間の仕切りに最適なものとなり、レイアウト変更時の移動や収納が手軽に行えることになる。
【図面の簡単な説明】
【００３８】
【図１】（ａ）はこの発明に係るパーティションの正面側から見た斜視図、（ｂ）は同背面側から見た斜視図
【図２】（ａ）はこの発明に係るパーティションの平面図、（ｂ）は同縦断側面図、（ｃ）は背面側から角度を変えて見た斜視図
【図３】この発明のパーティションにおける矩形状枠体の構造を拡大して示す一部切り欠き正面図
【図４】同パーティションを中央部分で切断した縦断側面図
【図５】同パーティションにおける矩形状枠体の下部結合構造を下から見た分解斜視図
【図６】同パーティションにおける下部構造を下から見た斜視図
【図７】同パーティションにおける上部構造とジョイント部材を示す分解斜視図
【図８】同パーティションにおける側部の構造を示す横断平面図
【図９】二台用のジョイント部材を示し、（ａ）は下部ジョイント部材の斜視図、（ｂ）は上部ジョイント部材の斜視図
【図１０】三台用のジョイント部材を示し、（ａ）は下部ジョイント部材の斜視図、（ｂ）は上部ジョイント部材の斜視図
【図１１】四台用のジョイント部材を示し、（ａ）は下部ジョイント部材の斜視図、（ｂ）は上部ジョイント部材の斜視図
【図１２】（ａ）はパーティションを長く連結した使用状態の斜視図、（ｂ）はパーティションを連結して個人用仕切りとした使用状態の斜視図
【図１３】三台用のジョイント部材を用いて三台のパーティションを連結した平面図
【符号の説明】
【００３９】
１      パーティション
２      矩形状枠体
３      間仕切り袋
４      縦棧
５      上棧
６      下棧
７      ビス
８      ねじ込み溝
９      ねじ孔
１０    ブロック
１１    ビス
１２    接地部材
１３    螺軸
１４    上部キャップ
１５    下部キャップ
１６    縦溝
１７    係止具
１８    二台用ジョイント部材
１９    三台用ジョイント部材
２０    四台用ジョイント部材
【図１】
2006316499.tif 000003
【図２】
2006316499.tif 000004
【図３】
2006316499.tif 000005
【図４】
2006316499.tif 000006
【図５】
2006316499.tif 000007
【図６】
2006316499.tif 000008
【図７】
2006316499.tif 000009
【図８】
2006316499.tif 000010
【図９】
2006316499.tif 000011
【図１０】
2006316499.tif 000012
【図１１】
2006316499.tif 000013
【図１２】
2006316499.tif 000014
【図１３】
2006316499.tif 000015